(57)【要約】【課題】本発明は確実にプリント基板の接点と中心導体の複数個の接触片との接触ができ、不安定になる心配がなく、ゴミ等の異物が入って接触不良になるのも効率よく阻止でき、空き端子とした際に同軸コネクタの電気的特性が劣化するのも阻止できる同軸コネクタを得るにある。【解決手段】同軸コネクタ本体と、この同軸コネクタ本体のほぼ中央部に固定された終端抵抗を備えるスイッチ基板と、同軸コネクタ本体の後部に固定された絶縁性の蓋体と、この蓋体のほぼ中央部に固定された先端部がスイッチ基板の透孔を貫通する中心導体と、同軸コネクタ本体の前部内にスライド移動可能に取付けられた、開放時には中心導体の複数個の接触片とは接触せず動作時には中心導体の複数個の接触片の突出部を押し付けてスイッチ基板の接点との接触を解除する中央部にコンタクト挿入孔を有する可動絶縁体と、この可動絶縁体のコンタクト挿入孔を覆うように、該可動絶縁体の外側面に固定された閉塞体と、可動絶縁体を常時開放方向に付勢する付勢スプリングとで同軸コネクタを構成している。【選択図】  図１
2004288420.tif 000002
【特許請求の範囲】
【請求項１】
同軸プラグが螺合固定されるほぼ円筒状の導電性の同軸コネクタ本体と、この同軸コネクタ本体のほぼ中央部に固定された中央部に透孔が形成された終端抵抗を備えるスイッチ基板と、前記同軸コネクタ本体の後部に固定された絶縁性の蓋体と、この蓋体のほぼ中央部に形成された中心導体取付孔に固定された先端部が、前記スイッチ基板の透孔を貫通する挟持片、この挟持片の外周部に先端部が外方に突出する突出部が形成され、常時前記スイッチ基板の接点と接触するように弾性力が付与された複数個の接触部を有する接触片とからなる中心導体と、前記同軸コネクタ本体の前部内にスライド移動可能に取付けられた、開放時には前記中心導体の複数個の接触片とは接触せず、動作時には前記中心導体の複数個の接触片の突出部を押し付けて、前記スイッチ基板の接点との接触を解除する中央部にコンタクト挿入孔を有する可動絶縁体と、この可動絶縁体のコンタクト挿入孔を覆うように、該可動絶縁体の外側面に固定された閉塞体と、前記可動絶縁体を常時開放方向に付勢する付勢スプリングとからなることを特徴とする同軸コネクタ。
【請求項２】
同軸プラグが螺合固定される中央部を除く両端部が大径の挿入孔が形成されたほぼ円筒状の導電性の同軸コネクタ本体と、この同軸コネクタ本体の後端部より挿入され、中央部と大径部の段差部に係止される中央部に透孔が形成された終端抵抗を備えるスイッチ基板と、前記同軸コネクタ本体の後部に前記スイッチ基板を押し圧固定できるように固定された蓋体と、この蓋体のほぼ中央部に形成された中心導体取付孔に固定された先端部が、前記スイッチ基板の透孔を貫通する挟持片、この挟持片の外周部に先端部が外方に突出する突出部が形成され、常時前記スイッチ基板の接点と接触するように弾性力が付与された複数個の接触部を有する接触片とからなる中心導体と、前記同軸コネクタ本体の前部内にスライド移動可能に取付けられた、開放時には前記中心導体の複数個の接触片とは接触せず、動作時には前記中心導体の複数個の接触片の突出部を押し付けて、前記スイッチ基板の接点との接触を解除する中央部にコンタクト挿入孔を有する可動絶縁体と、この可動絶縁体のコンタクト挿入孔を覆うように、該可動絶縁体の外側面に固定された閉塞体と、前記可動絶縁体を常時開放方向に付勢する付勢スプリングとからなることを特徴とする同軸コネクタ。
【発明の詳細な説明】
【０００１】
【発明の属する技術分野】
本発明はＣＡＴＶ等における電気信号を伝達する機器の入力端子あるいは出力端子として用いられ、同軸ケーブル等の先端部に設けられた同軸プラグと連結される同軸コネクタに関する。
【０００２】
【従来の技術】
従来、ＣＡＴＶ等における電気信号を伝達する機器の出力端子の終端抵抗を空き端子のままにしておいても、障害が発生しないように終端抵抗を内蔵する同軸コネクタが提案されている。
この同軸コネクタはプリント基板を移動させて同軸コネクタ本体の段差との間でスイッチ接点としている。
【０００３】
［特許文献］      特開平１１−１５４５６５
【０００４】
【発明が解決しようとする課題】
従来の同軸コネクタはプリント基板が傾いてしまい安定して移動することが難しいとともに、異物等が挟まって接触不良を起こしやすいという欠点があった。
また、終端抵抗が入っている側に空き端子とした際に、プリント基板を押し上げるための金属製のバネが設置されているので、同軸コネクタの電気的特性が劣化するという欠点があった。
【０００５】
本発明は以上のような従来の欠点に鑑み、確実にプリント基板の接点と中心導体の複数個の接触片との接触ができ、不安定になる心配がなく、ゴミ等の異物が入って接触不良になるのも効率よく阻止でき、空き端子とした際に同軸コネクタの電気的特性が劣化するのも阻止できる同軸コネクタを提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００７】
【課題を解決するための手段】
上記目的を達成するために、本発明は同軸プラグが螺合固定されるほぼ円筒状の導電性の同軸コネクタ本体と、この同軸コネクタ本体のほぼ中央部に固定された中央部に透孔が形成された終端抵抗を備えるスイッチ基板と、前記同軸コネクタ本体の後部に固定された絶縁性の蓋体と、この蓋体のほぼ中央部に形成された中心導体取付孔に固定された先端部が、前記スイッチ基板の透孔を貫通する挟持片、この挟持片の外周部に先端部が外方に突出する突出部が形成され、常時前記スイッチ基板の接点と接触するように弾性力が付与された複数個の接触部を有する接触片とからなる中心導体と、前記同軸コネクタ本体の前部内にスライド移動可能に取付けられた、開放時には前記中心導体の複数個の接触片とは接触せず、動作時には前記中心導体の複数個の接触片の突出部を押し付けて、前記スイッチ基板の接点との接触を解除する中央部にコンタクト挿入孔を有する可動絶縁体と、この可動絶縁体のコンタクト挿入孔を覆うように、該可動絶縁体の外側面に固定された閉塞体と、前記可動絶縁体を常時開放方向に付勢する付勢スプリングとで同軸コネクタを構成している。
【０００８】
【発明の実施の形態】
以下、図面に示す実施の形態により、本発明を詳細に説明する。
【０００９】
図１ないし図９に示す本発明の第１の実施の形態において、１は同軸プラグ２を取付けることができる本発明の同軸コネクタで、この同軸コネクタ１は中央部を除く両端部が段差部３、４が生じる大径の挿入孔５、５が形成されたほぼ円筒状の導電性の同軸コネクタ本体６と、この同軸コネクタ本体６の外周部に形成された前記同軸プラグ２に螺合固定されるねじ部７およびフランジ部８と、前記同軸コネクタ本体６の後部より挿入され、段差部４に導電性接着剤９等によって固定された、図６および図７に示すように中央部に接点１０を有する透孔１１が形成された終端抵抗１２を備えるスイッチ基板１３と、前記同軸コネクタ本体６の後部にカシメ等によって固定された、前記スイッチ基板１３を段差部４に押し圧する押し圧片１４を有する絶縁性の蓋体１５と、この蓋体１５のほぼ中央部に形成された中心導体取付孔１６に固定された先端部が前記スイッチ基板１３の透孔１１を貫通する中心導体１７と、前記同軸コネクタ本体６の前部内にスライド移動可能に取付けられた中央部にコンタクト挿入孔１８を有する可動絶縁体１９と、この可動絶縁体１９を常時開放方向に付勢する付勢スプリング２０とで構成されている。
【００１０】
前記中心導体１７は図５に示すように、後端部が前記蓋体１５の中心導体取付孔１６に嵌合固定された挟着片２１と、この挟着片２１の一方の対向する外周部に先端部が外方へ弧状に突出する突出部２２、２２が形成され、常時前記スイッチ基板１３の接点１０と接触するように弾性力が付与された２個の接点接触部２３、２３と、前記挟着片２１の他方の対向する外周部に先端部が外方に広がる弧状に形成され、かつ先端部寄りの部位が当接する前記同軸プラグ２の芯線を挾着することができる芯線接触部２３Ａ、２３Ａとを有する接触片２４とで構成されている。
【００１１】
前記可動絶縁体１９は図８に示すように、円筒状の可動絶縁本体２５と、この可動絶縁本体２５の先端外周部に付勢スプリング収納凹部２６を形成できるように筒状に突出形成された前記中心導体１７の接触片２４の突出部２２、２２を押し圧して、スイッチ基板１３の接点１０との接触を解除することができる作動片２７と、この作動片２７の先端外周部に形成された、前記同軸コネクタ本体６の中央部寄りの部位に形成された係止片２８と係止して抜け脱を阻止するストッパー片２９と、前記可動絶縁本体２５の外面に凹部３０が形成できるように一体形成された中央部にコンタクト挿入孔１８が形成された壁板３１と、前記凹部３０を覆うように固定された柔軟な弾性材製の閉塞体３２とで構成されている。
【００１２】
上記構成の同軸コネクタ１は同軸プラグ２が取付けられていない場合には、図１に示すように付勢スプリング２０の付勢力によって、可動絶縁体１９の作動片２７の先端外周部のストッパー片２９が同軸コネクタ本体６の係止片２８と係止し、同軸コネクタ本体６の前部より可動絶縁体１９の後部が外方へ突出する状態となっている。
この状態では可動絶縁体１９の作動片２７は中心導体１７の接触片２４の突出部２２、２２と接触することなく、スイッチ基板１３の接点１０と接触片２４の接点接触部２３、２３が接触した状態となり、空き端子のままにしておいてもスイッチ基板１３の終端抵抗１２により、障害が発生するのを防止する。
【００１３】
同軸コネクタ１に同軸プラグ２を図９に示すように取付けると、同軸プラグ２によって同軸コネクタ１の可動絶縁体１９が、付勢スプリング２０の付勢力に抗して内側へ押し込まれ、可動絶縁体１９の作動片２７が中心導体１７の接触片２４の突出部２２、２２と接触して、該接触片２４の接点接触部２３、２３を反付勢方向に押し圧し、スイッチ基板１３の接点１０との接触を解除するとともに、同軸プラグ２の芯線が芯線接触部２３Ａ、２３Ａに挾着固定される。
【００１４】
【発明の異なる実施の形態】
次に、図１０ないし図１４に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図１０および図１１に示す本発明の第２の実施の形態において、前記本発明の第１の実施の形態と主に異なる点は、同軸コネクタ本体６にカシメ等によって固定される絶縁性の蓋体１５の押し圧片１４によって、スイッチ基板１３を段差部４に押し圧固定できるようにした点で、このように構成した同軸コネクタ１Ａにしても、前記本発明の第１の実施の形態と同様な作用効果が得られる。
【００１６】
図１２ないし図１４に示す本発明の第３の実施の形態において、前記本発明の第１の実施の形態と主に異なる点は、先端部が山形状に突出する突出部２２Ａ、２２Ａを形成した接触片２４Ａを使用する中心導体１７Ａを用いた点で、このような中心導体１７Ａを用いて構成した同軸コネクタ１Ｂにしても、前記本発明の第１の実施の形態と同様な作用効果が得られる。
【００１７】
【発明の効果】
以上の説明から明らかなように、本発明にあっては次に列挙する効果が得られる。
【００１８】
（１）同軸プラグが螺合固定されるほぼ円筒状の導電性の同軸コネクタ本体と、この同軸コネクタ本体のほぼ中央部に固定された中央部に透孔が形成された終端抵抗を備えるスイッチ基板と、前記同軸コネクタ本体の後部に固定された絶縁性の蓋体と、この蓋体のほぼ中央部に形成された中心導体取付孔に固定された先端部が、前記スイッチ基板の透孔を貫通する挟持片、この挟持片の外周部に先端部が外方に突出する突出部が形成され、常時前記スイッチ基板の接点と接触するように弾性力が付与された複数個の接触部を有する接触片とからなる中心導体と、前記同軸コネクタ本体の前部内にスライド移動可能に取付けられた、開放時には前記中心導体の複数個の接触片とは接触せず、動作時には前記中心導体の複数個の接触片の突出部を押し付けて、前記スイッチ基板の接点との接触を解除する中央部にコンタクト挿入孔を有する可動絶縁体と、この可動絶縁体のコンタクト挿入孔を覆うように、該可動絶縁体の外側面に固定された閉塞体と、前記可動絶縁体を常時開放方向に付勢する付勢スプリングとで構成されているので、従来のようにスイッチ基板が移動することなく、傾いたりする不具合を確実に防止することができる。
したがって、安定した状態で作動させることができる。
【００１９】
（２）前記（１）によって、スイッチ基板を同軸コネクタ本体に固定しているので、従来の移動するものに比べ、異物等が挟まって接触不良を起こすのを効率よく阻止することができる。
【００２０】
（３）前記（１）によって、中心導体の接触片として金属材製のバネを用いているが、終端抵抗が内蔵されている外側の部分のため、空き端子とした際に同軸コネクタの電気的特性が劣化するのを阻止できる。
【００２１】
（４）請求項２も前記（１）〜（３）と同様な効果が得られる。
【図面の簡単な説明】
【図１】本発明の第１の実施の形態の断面図。
【図２】本発明の第１の実施の形態の正面図。
【図３】本発明の第１の実施の形態の左側面図。
【図４】本発明の第１の実施の形態の右側面図。
【図５】本発明の第１の実施の形態の中心導体の説明図。
【図６】本発明の第１の実施の形態のスイッチ基板の正面図。
【図７】本発明の第１の実施の形態のスイッチ基板の背面図。
【図８】本発明の第１の実施の形態の可動絶縁体の説明図。
【図９】本発明の第１の実施の形態の同軸プラグを取付けた状態の断面図。
【図１０】本発明の第２の実施の形態の断面図。
【図１１】本発明の第２の実施の形態の同軸プラグを取付けた状態の断面図。
【図１２】本発明の第３の実施の形態の断面図。
【図１３】本発明の第３の実施の形態の中心導体の説明図。
【図１４】本発明の第３の実施の形態の同軸プラグを取付けた状態の断面図。
【符号の説明】
１、１Ａ、１Ｂ：同軸コネクタ、
２：同軸プラグ、        ３、４：段差、
５：大径の挿入孔、      ６：同軸コネクタ本体、
７：ねじ部、            ８：フランジ部、
９：接着剤、            １０：接点、
１１：透孔、            １２：終端抵抗、
１３：スイッチ基板、    １４：押し圧片、
１５：蓋体、            １６：中心導体取付孔、
１７、１７Ａ：中心導体、１８：コンタクト挿入孔、
１９：可動絶縁体、      ２０：付勢スプリング、
２１：挟着片、          ２２、２２Ａ：突出部、
２３：接点接触部、      ２３Ａ：芯線接触部、
２４、２４Ａ：接触片、  ２５：可動絶縁本体、
２６：付勢スプリング収納凹部、
２７：作動片、          ２８：係止片、
２９：ストッパー片、    ３０：凹部、
３１：壁板、            ３１：閉塞体。
【図１】
2004288420.tif 000003
【図２】
2004288420.tif 000004
【図３】
2004288420.tif 000005
【図４】
2004288420.tif 000006
【図５】
2004288420.tif 000007
【図６】
2004288420.tif 000008
【図７】
2004288420.tif 000009
【図８】
2004288420.tif 000010
【図９】
2004288420.tif 000011
【図１０】
2004288420.tif 000012
【図１１】
2004288420.tif 000013
【図１２】
2004288420.tif 000014
【図１３】
2004288420.tif 000015
【図１４】
2004288420.tif 000016